(57)【要約】  エレベーター遠隔監視システムは、それぞれエレベーター装置を制御する複数のエレベーター制御システムと、それぞれが独立して設けられる複数のサーバーと、複数のサーバーに個別に対応して設けられ、それぞれが各エレベーター制御システムと監視回線を介して通信する複数の通信装置と、を備え、複数のサーバーのそれぞれは、対応する通信装置によって各エレベーター制御システムと通信するように構成されている。
2019167255.tif 000002
【特許請求の範囲】
【請求項１】
それぞれエレベーター装置を制御する複数のエレベーター制御システムと、
それぞれが独立して設けられる複数のサーバーと、
前記複数のサーバーに個別に対応して設けられ、それぞれが各エレベーター制御システムと監視回線を介して通信する複数の通信装置と、
を備え、
前記複数のサーバーのそれぞれは、対応する前記通信装置によって各エレベーター制御システムと通信する
エレベーター遠隔監視システム。
【請求項２】
前記複数のサーバーは、監視サーバーと、前記監視サーバーと独立して設けられる制御サーバーとによって構成され、
前記複数の通信装置は、前記監視サーバーに対応する第１の通信装置と、前記制御サーバーに対応する第２の通信装置とによって構成され、
前記監視サーバーは、対応する前記第１の通信装置によって各エレベーター制御システムから監視情報を受信し、
前記制御サーバーは、対応する前記第２の通信装置によって各エレベーター制御システムに制御情報を送信する
請求項１に記載のエレベーター遠隔監視システム。
【発明の詳細な説明】
【技術分野】
【０００１】
本発明は、エレベーターの遠隔監視、エレベーターの遠隔制御等を実現可能に構成されたエレベーター遠隔監視システムに関する。
【背景技術】
【０００２】
エレベーター遠隔監視システム（例えば、特許文献１〜３参照）は、情報センター側とエレベーター側とを電話回線等によって通信接続することで、情報センター側から、エレベーターの遠隔監視、エレベーターの遠隔制御等を実現可能に構成されている。【０００３】
一般的な情報センターには、エレベーターを遠隔監視するためのデータをエレベーター側から受信する監視サーバーと、エレベーターを遠隔制御するためのデータをエレベーター側に送信する制御サーバーとが設けられている。また、このような情報センターでは、監視サーバーと制御サーバーとで通信装置が共用される。すなわち、監視サーバーおよび制御サーバーのそれぞれは、共通の通信装置によって、エレベーター側と通信する。
【先行技術文献】
【特許文献】
【０００４】
【特許文献１】特開２０１７−０１３９３６号公報
【特許文献２】特開２０１６−１９０７２８号公報
【特許文献３】特開２０１６−１９０７２０号公報
【発明の概要】
【発明が解決しようとする課題】
【０００５】
上述のエレベーター遠隔監視システムにおいて、遠隔監視対象となるエレベーターの数の増加、エレベーターの機能の高度化、エレベーターの制御プログラムの複雑化等が進むにつれて、情報センター側の通信負荷がますます増大することが考えられる。【０００６】
ここで、情報センターには、エレベーター側と通信する複数のサーバー、具体的には上述した監視サーバーおよび制御サーバーが設けられている。【０００７】
監視サーバーは、エレベーター側からデータを定期的に受信するように構成されているので、監視サーバーの通信量が安定し、その通信量をある程度見積もることが可能である。一方、制御サーバーは、保守員等からの要求に従って、エレベーター側にデータを送信するように構成されているので、制御サーバーの通信量が変動する。したがって、制御サーバーの通信量が変動して想定よりも増加した場合、監視サーバーと制御サーバーとで通信装置が共用されているので、監視サーバーがエレベーター側と通信する際にエレベーター側との間に通信遅延が生じる可能性がある。また、情報センターに設けられる上述の通信装置へのアクセスが集中した場合、監視サーバーおよび制御サーバーのそれぞれとエレベーター側との間に通信遅延が生じる可能性がある。【０００８】
このように、情報センターに設けられる複数のサーバーでは、通信装置が共用されているので、複数のサーバーのそれぞれとエレベーター側との間に通信遅延が生じる可能性がある。【０００９】
本発明は、上述のような課題を解決するためになされたものであり、エレベーター側と通信する複数のサーバーのそれぞれとエレベーター側との間の通信遅延の抑制を図ったエレベーター遠隔監視システムを得ることを目的とする。
【課題を解決するための手段】
【００１０】
本発明におけるエレベーター遠隔監視システムは、それぞれエレベーター装置を制御する複数のエレベーター制御システムと、それぞれが独立して設けられる複数のサーバーと、複数のサーバーに個別に対応して設けられ、それぞれが各エレベーター制御システムと監視回線を介して通信する複数の通信装置と、を備え、複数のサーバーのそれぞれは、対応する通信装置によって各エレベーター制御システムと通信するものである。
【発明の効果】
【００１１】
本発明によれば、エレベーター側と通信する複数のサーバーのそれぞれとエレベーター側との間の通信遅延の抑制を図ったエレベーター遠隔監視システムを得ることができる。
【図面の簡単な説明】
【００１２】
【図１】本発明の実施の形態１におけるエレベーター遠隔監視システムを示す構成図である。
【図２】比較例に相当するエレベーター遠隔監視システムを示す構成図である。
【発明を実施するための形態】
【００１３】
以下、本発明によるエレベーター遠隔監視システムを、好適な実施の形態にしたがって図面を用いて説明する。なお、図面の説明においては、同一部分または相当部分には同一符号を付し、重複する説明を省略する。
【００１４】
実施の形態１．
まず、後述する実施の形態１におけるエレベーター遠隔監視システムとの比較例に相当するエレベーター遠隔監視システムについて、図２を参照しながら説明する。図２は、比較例に相当するエレベーター遠隔監視システムを示す構成図である。
【００１５】
図２に示すエレベーター遠隔監視システムは、複数のビル１に個別に設けられるエレベーター２と、遠隔に設けられ、各ビル１のエレベーター２を管理する情報センター３Ａと、エレベーター２と情報センター３Ａとの間を通信接続する監視回線４とを備える。なお、監視回線４としては、例えば、電話回線、ＩＰ（Ｉｎｔｅｒｎｅｔ  Ｐｒｏｔｏｃｏｌ）回線等を用いることができる。
【００１６】
エレベーター２は、エレベーター装置２１と、制御装置２２および監視装置２３を有するエレベーター制御システム２４とを備える。上述したとおり、エレベーター２は、複数のビル１に個別に設けられる。したがって、エレベーター遠隔監視システムでは、それぞれエレベーター装置２１を制御する複数のエレベーター制御システム２４が存在する。
【００１７】
制御装置２２には、エレベーター装置２１の動作を制御するための制御データが設定されている。ここで、制御データは、制御装置２２がエレベーター装置２１の動作を制御する際に用いるデータであり、具体的には、例えば、制御プログラム、制御パラメーター等である。
【００１８】
制御装置２２は、設定されている制御データに従ってエレベーター装置２１の動作を制御する。具体的には、制御装置２２は、例えば、エレベーターの巻上機の動作、エレベーターの乗りかごのドアの動作等をエレベーターの動作として制御する。
【００１９】
監視装置２３は、制御装置２２と通信可能に接続されるとともに、監視回線４を介して情報センター３Ａと通信可能に接続される。監視装置２３は、エレベーター装置２１の状態を監視し、その監視結果を監視情報として情報センター３Ａに定期的に送信する。また、監視装置２３は、エレベーター装置２１に異常が発生した場合には、その異常を報知するための発報信号を監視情報として情報センター３Ａに送信する。
【００２０】
監視装置２３は、情報センター３Ａから後述する制御情報を受信した場合には、その制御情報を制御装置２２に送信する。
【００２１】
情報センター３Ａは、通信装置３１Ａと、監視サーバー３２Ａと、監視サーバー３２Ａと独立して設けられる制御サーバー３３Ａと、操作端末３４Ａとを備える。
【００２２】
通信装置３１Ａは、データを送受信する機能を有し、監視回線４を介してエレベーター制御システム２４の監視装置２３と通信する。
【００２３】
監視サーバー３２Ａは、監視装置２３から送信される監視情報を通信装置３１Ａによって受信する。
【００２４】
制御サーバー３３Ａは、後述する操作端末３４Ａからの要求、あるいは指定のスケジュールに従って、制御情報を通信装置３１Ａによって監視装置２３に送信する。ここで、制御情報は、制御装置２２の制御に関する情報であり、具体的には、例えば、制御装置２２に設定するための制御データ、制御装置２２にすでに設定されている旧制御データを更新するための更新用の制御データ、エレベーター装置２１の異常の有無を診断する診断運転を行うように制御装置２２に指令する指令信号等である。
【００２５】
操作端末３４Ａは、保守員等が操作可能に構成されており、保守員等の操作に従って、制御情報を監視装置２３に送信するように制御サーバー３３Ａに要求する。
【００２６】
このように、図２に示すエレベーター遠隔監視システムの構成では、監視サーバー３２Ａと制御サーバー３３Ａとで通信装置３１Ａが共用されている。したがって、上述したとおり、情報センター３Ａに設けられる監視サーバー３２Ａおよび制御サーバー３３Ａのそれぞれとエレベーター側との間の通信遅延が生じる可能性がある。
【００２７】
そこで、実施の形態１においては、上述の新しく着目した課題を解決すべく、情報センターに設けられる監視サーバーおよび制御サーバーのそれぞれとエレベーター側との間の通信遅延の抑制を図ることができるエレベーター遠隔監視システムを提供する。
【００２８】
次に、本実施の形態１におけるエレベーター遠隔監視システムについて、図１を参照しながら説明する。図１は、本発明の実施の形態１におけるエレベーター遠隔監視システムを示す構成図である。なお、以下、上述した比較例と同様である点の説明を省略し、比較例と異なる点を中心に説明する。
【００２９】
図１に示すエレベーター遠隔監視システムは、複数のビル１に個別に設けられるエレベーター２と、遠隔に設けられ、各ビルのエレベーター２を管理する情報センター３と、エレベーター２と情報センター３との間を通信接続する監視回線４とを備える。
【００３０】
情報センター３は、通信装置３５および監視サーバー３２を有するセンター側監視システム３７と、通信装置３６、制御サーバー３３および操作端末３４を有するセンター側制御システム３８とを備える。センター側監視システム３７と、センター側制御システム３８とは独立して設けられる。
【００３１】
通信装置３５は、データを送受信する機能を有し、監視回線４を介してエレベーター制御システム２４の監視装置２３と通信する。監視サーバー３２は、監視装置２３から送信される監視情報を通信装置３５によって受信する。
【００３２】
通信装置３６は、データを送受信する機能を有し、監視回線４を介してエレベーター制御システム２４の監視装置２３と通信する。制御サーバー３３は、後述する操作端末３４からの要求、あるいは指定のスケジュールに従って、制御情報を通信装置３６によって監視装置２３に送信する。
【００３３】
このように、情報センター３では、２つの通信装置（すなわち、通信装置３５および通信装置３６）が２つのサーバー（すなわち、監視サーバー３２および制御サーバー３３）に個別に対応して設けられる。
【００３４】
つまり、センター側監視システム３７では、通信装置３５は、監視サーバー３２に対応して設けられ、各ビル１のエレベーター制御システム２４と監視回線４を介して通信する。これにより、監視サーバー３２は、対応する通信装置３５によって各ビル１のエレベーター制御システム２４と通信することとなる。
【００３５】
センター側制御システム３８では、通信装置３６は、制御サーバー３３に対応して設けられ、各ビル１のエレベーター制御システム２４と監視回線４を介して通信する。これにより、制御サーバー３３は、対応する通信装置３６によって各ビル１のエレベーター制御システム２４と通信することとなる。
【００３６】
操作端末３４は、保守員等が操作可能に構成されており、保守員等の操作に従って、制御情報を監視装置２３に送信するように制御サーバー３３に要求する。
【００３７】
このように、図１に示すエレベーター遠隔監視システムの構成では、監視サーバー３２と制御サーバー３３とで、通信装置が共用されることなく、個別の通信装置が使用される。したがって、制御サーバー３３の通信量が変動して想定よりも増加した場合であっても、監視サーバー３２は、制御サーバー３３に対応して設けられた通信装置３６とは別の通信装置３５によって監視装置２３と通信することができる。その結果、監視サーバー３２とエレベーター２側との間の通信遅延の抑制を図ることができる。
【００３８】
また、監視サーバー３２と制御サーバー３３とに個別に対応して通信装置３５と通信装置３６とが設けられているので、情報センター３へのアクセスが集中した場合であっても、通信負荷を分散させることができる。
【００３９】
なお、実施の形態１では、情報センター３にそれぞれが独立して設けられる複数のサーバーの一例として、複数のサーバーは、監視サーバー３２と、監視サーバー３２と独立して設けられる制御サーバー３３とによって構成される場合を例示している。ただし、上述した例に限定されず、複数のサーバーの各サーバーは、対応する通信装置によって各エレベーター制御システム２４と通信するのであれば、どのようなサーバーであってもよい。
【００４０】
また、監視サーバー３２および制御サーバー３３のそれぞれの数は、１つであってもよいし複数であってもよい。監視サーバー３２の数が複数である場合、複数の監視サーバー３２に個別に対応して通信装置が設けられ、各監視サーバー３２は、対応する通信装置によって各エレベーター制御システム２４と通信するように構成される。制御サーバー３３の数が複数である場合も同様である。
【００４１】
また、実施の形態１では、監視サーバー３２と、監視サーバー３２と独立して設けられる制御サーバー３３との両方が情報センター３に設けられる構成を例示したが、これに限定されない。すなわち、制御サーバー３３は、必ずしも情報センター３に設けられていなくてもよく、例えば、情報センター３とは別の地域の施設に設けられていてもよい。また、情報センター３の数は、１つであってもよいし複数であってもよい。情報センター３の数が複数である場合、複数の情報センター３は、複数の地域に分散して設けられる。
【００４２】
以上、本実施の形態１によれば、エレベーター遠隔監視システムは、それぞれエレベーター装置を制御する複数のエレベーター制御システムと、それぞれが独立して設けられる複数のサーバーと、複数のサーバーに個別に対応して設けられ、それぞれが各エレベーター制御システムと監視回線を介して通信する複数の通信装置とを備えて構成されている。さらに、複数のサーバーのそれぞれは、対応する通信装置によって各エレベーター制御システムと通信するように構成されている。
【００４３】
これにより、エレベーター側と通信する複数のサーバーの各サーバーは、通信装置を共有することなく、個別に対応する通信装置を使用することができる。したがって、エレベーター側と通信する複数のサーバーのそれぞれとエレベーター側との間の通信遅延の抑制を図ることができる。
【符号の説明】
【００４４】
１  ビル、２  エレベーター、３Ａ，３  情報センター、４  監視回線、２１  エレベーター装置、２２  制御装置、２３  監視装置、２４  エレベーター制御システム、３１Ａ  通信装置、３２Ａ，３２  監視サーバー、３３Ａ，３３  制御サーバー、３４Ａ，３４  操作端末、３５  通信装置（第１の通信装置）、３６  通信装置（第２の通信装置）、３７  センター側監視システム、３８  センター側制御システム。
【図１】
2019167255.tif 000003
【図２】
2019167255.tif 000004
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
それぞれエレベーター装置を制御する複数のエレベーター制御システムと、
それぞれが独立して設けられる複数のサーバーと、
前記複数のサーバーに個別に対応して設けられ、それぞれが各エレベーター制御システムと監視回線を介して通信する複数の通信装置と、
を備え、
前記複数のサーバーのそれぞれは、対応する前記通信装置によって各エレベーター制御システムと通信する
エレベーター遠隔監視システム。
【請求項２】
前記複数のサーバーおよび前記複数の通信装置は、１つの情報センター内に設けられる
請求項１に記載のエレベーター遠隔監視システム。
【請求項３】
前記複数のサーバーは、監視サーバーと、前記監視サーバーと独立して設けられる制御サーバーとによって構成され、
前記複数の通信装置は、前記監視サーバーに対応する第１の通信装置と、前記制御サーバーに対応する第２の通信装置とによって構成され、
前記監視サーバーは、対応する前記第１の通信装置によって各エレベーター制御システムから監視情報を受信し、
前記制御サーバーは、対応する前記第２の通信装置によって各エレベーター制御システムに制御情報を送信する
請求項１に記載のエレベーター遠隔監視システム。
【請求項４】
前記監視サーバー、前記制御サーバー、前記第１の通信装置および前記第２の通信装置は、１つの情報センター内に設けられる
請求項３に記載のエレベーター遠隔監視システム。
【手続補正書】
【提出日】平成30年10月29日(2018.10.29)
【手続補正１】
【補正対象書類名】明細書
【補正対象項目名】００１０
【補正方法】変更
【補正の内容】
【００１０】
本発明におけるエレベーター遠隔監視システムは、それぞれエレベーター装置を制御する複数のエレベーター制御システムと、それぞれが独立して設けられる複数のサーバーと、複数のサーバーに個別に対応して設けられ、それぞれが各エレベーター制御システムと監視回線を介して通信する複数の通信装置と、を備え、複数のサーバーのそれぞれは、対応する通信装置によって各エレベーター制御システムと通信し、複数のサーバーは、監視サーバーと、監視サーバーと独立して設けられる制御サーバーとによって構成され、複数の通信装置は、監視サーバーに対応する第１の通信装置と、制御サーバーに対応する第２の通信装置とによって構成され、監視サーバーは、対応する第１の通信装置によって各エレベーター制御システムから監視情報を受信し、制御サーバーは、対応する第２の通信装置によって各エレベーター制御システムに制御情報を送信し、監視サーバー、制御サーバー、第１の通信装置および第２の通信装置は、１つの情報センター内に設けられるものである。
【手続補正２】
【補正対象書類名】特許請求の範囲
【補正対象項目名】全文
【補正方法】変更
【補正の内容】
【特許請求の範囲】
【請求項１】
それぞれエレベーター装置を制御する複数のエレベーター制御システムと、
それぞれが独立して設けられる複数のサーバーと、
前記複数のサーバーに個別に対応して設けられ、それぞれが各エレベーター制御システムと監視回線を介して通信する複数の通信装置と、
を備え、
前記複数のサーバーのそれぞれは、対応する前記通信装置によって各エレベーター制御システムと通信し、
前記複数のサーバーは、監視サーバーと、前記監視サーバーと独立して設けられる制御サーバーとによって構成され、
前記複数の通信装置は、前記監視サーバーに対応する第１の通信装置と、前記制御サーバーに対応する第２の通信装置とによって構成され、
前記監視サーバーは、対応する前記第１の通信装置によって各エレベーター制御システムから監視情報を受信し、
前記制御サーバーは、対応する前記第２の通信装置によって各エレベーター制御システムに制御情報を送信し、
前記監視サーバー、前記制御サーバー、前記第１の通信装置および前記第２の通信装置は、１つの情報センター内に設けられる
エレベーター遠隔監視システム。
【国際調査報告】
2019167255.tif 000005
2019167255.tif 000006
2019167255.tif 000007
2019167255.tif 000008